【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
シンプルＩＰ移動ノードからネットワークへの接続をリクエストする通信を、前記ネットワークのＰＤＳＮから受信するステップと、
前記シンプルＩＰ移動ノードに、移動前のＰＤＳＮを介したセションが存在しないことを決定するステップと、
前記ネットワークのＰＤＳＮに、承諾メッセージを送信するステップと、
モバイルＩＰ承認リクエストを前記ネットワークのＰＤＳＮで初期化するステップと、
前記送信するステップの後、前記シンプルＩＰ移動ノードと前記ネットワークのＰＤＳＮの間のセションを確立するステップ
を備えることを特徴とするシンプルＩＰ移動ノードのセション転送方法。
【請求項２】
前記モバイルＩＰ承認リクエストを前記ネットワークのＰＤＳＮで初期化するステップは、ホームエージェントにモバイルＩＰリクエストメッセージを送信するステップを含んでいることを特徴とする請求項１に記載のシンプルＩＰ移動ノードのセション転送方法。
【請求項３】
前記シンプルＩＰ移動ノードと前記ネットワークのＰＤＳＮの間のセションを確立するステップは、ＣＨＡＰ認証を実行するステップを含むことを特徴とする請求項２に記載のシンプルＩＰ移動ノードのセション管理方法。
【請求項４】
前記シンプルＩＰ移動ノードと前記ネットワークのＰＤＳＮとの間のセションを確立するステップは、前記シンプルＩＰ移動ノードと前記ネットワークのＰＤＳＮとの間のＩＰ通信を送信するステップを含むことを特徴とする請求項１に記載のシンプルＩＰ移動ノードのセション管理方法。
【請求項５】
前記シンプルＩＰ移動ノードと前記ネットワークのＰＤＳＮとの間のセションを確立するステップは、シンプルＩＰ移動ノードと前記ネットワークのＰＤＳＮとの間のネゴシエーションを処理するステップを含むことを特徴とする請求項１に記載のシンプルＩＰ移動ノードのセション管理方法。
【請求項６】
前記移動前のＰＤＳＮにおいて、リソースを修正するステップを更に含むことを特徴とする請求項１に記載のシンプルＩＰ移動ノードのセション管理方法。
【請求項７】
モバイルＩＰセションを、第１のデバイスから第２のデバイスに転送するモバイルＩＰセション転送方法であって、
シンプルＩＰ移動ノードと前記第１のデバイスとの間に確立されたセションを識別する情報を、データベースに保存するステップと、
前記第２のデバイスによって初期化され、前記シンプルＩＰ移動ノードが前記第２のデバイスを介した前記セションの確立を希望する接続リクエストメッセージを、前記第２のデバイスから受信するステップと、
前記データベースの前記情報を利用して、前記第２のデバイスを介して前記シンプルＩＰ移動ノードとのセションを確立する接続リクエストメッセージの受信に返答するステップ
とを備えることを特徴とするモバイルＩＰセション転送方法。
【請求項８】
前記第２のデバイスを介して前記シンプルＩＰ移動ノードとのセションを確立するステップは、前記第２のデバイスからホームエージェントへ、ＭＩＰリクエストを送信するステップを含むことを特徴とする請求項７に記載のモバイルＩＰセション転送方法。
【請求項９】
前記シンプルＩＰ移動ノードとのセションを確立するステップは、前記シンプルＩＰ移動ノードと前記第２のデバイスとの間のＩＰ通信を送信するステップを含むことを特徴とする請求項７に記載のモバイルＩＰセション転送方法。
【請求項１０】
前記シンプルＩＰ移動ノードとのセションを確立するステップは、前記シンプルＩＰ移動ノードと前記第２のデバイスとの間のネゴシエーションを処理するステップを含むことを特徴とする請求項７に記載のモバイルＩＰセション転送方法。
【請求項１１】
前記第１のデバイス及び前記第２のデバイスは、ＰＤＳＮであることを特徴とする請求項７に記載のモバイルＩＰセション管理方法。
【請求項１２】
前記第１のデバイスにおいて、リソースを修正するステップを更に含むことを特徴とする請求項７に記載のモバイルＩＰセション管理方法。
【請求項１３】
前記移動ノードと前記第２のデバイスとの間のセションを確立した後に、更に前記セションに関する情報を前記第１のデバイスから削除するステップを更に備えることを特徴とする請求項７に記載のモバイルＩＰセション管理方法。
【請求項１４】
シンプルＩＰ移動ノードがネットワークへの接続をリクエストする通信を、前記シンプルＩＰ移動ノードから受信する手段と、
接続リクエストメッセージを転送する手段と、
接続許可メッセージを受信する手段と、
デバイスにおいて、モバイルＩＰ認証リクエストを初期化する手段と、
前記シンプルＩＰ移動ノードとの接続のネゴシエーションを行う手段と、
ホームエージェントとのトンネルを確立する手段
とを備えることを特徴とするシンプルＩＰ移動ノードのセション転送装置。
【請求項１５】
前記モバイルＩＰ認証リクエストを初期化する手段は、前記ホームエージェントにＭＩＰリクエストを送信する手段を更に備えていることを特徴とする請求項１４に記載のシンプルＩＰ移動ノードのセション転送方法。
【請求項１６】
ここで前記通信は、前記移動ノードの識別子を更に含んでいることを特徴とする請求項１５に記載のシンプルＩＰ移動ノードのセション転送方法。
【請求項１７】
前記シンプルＩＰ移動ノードとの接続のネゴシエーションを行う手段によって、ＩＰＣＰが実行されることを特徴とする請求項１４に記載のシンプルＩＰ移動ノードのセション転送方法。
【請求項１８】
前記デバイスと異なるデバイスにおいて、リソースを修正する手段を更に備えることを特徴とする請求項１４に記載のシンプルＩＰ移動ノードのセション転送方法。
【請求項１９】
第１のデバイスから第２のデバイスにモバイルＩＰセションを転送するモバイルＩＰセション転送装置であって、
シンプルＩＰ移動ノードとホームエージェントの間に第１のデバイスを介して確立されたセションを識別する情報を、データベースに保存する手段と、
前記第２のデバイスによって初期化され、前記シンプルＩＰ移動ノードが第２のデバイスを介したて前記セションの確立を希望する、接続リクエストメッセージを受信する手段と、
前記シンプルＩＰ移動ノードに既に存在しているセションを決定する手段と、
前記第２のデバイスを認証し、前記ホームエージェントとの通信を確立するために、前記ホームエージェントのアドレスを含む接続許可メッセージを、前記第２のデバイスに送信する手段
とを備えることを特徴とするモバイルＩＰセション転送装置。
【請求項２０】
パケットデータ提供エリアを通過している間、ＰＤＳＮ、プロキシサーバ及びホームエージェント間でセションリソースを修正及び解放するセションリソース管理システムであって、
第１の適用エリアから第２の適用エリアへの前記移動ノードの通過を検出したのに対応して、前記プロキシサーバから、前記ＰＤＳＮにおけるリソースの修正をリクエストする手段と、
前記ＰＤＳＮからリソースの取り扱いを受信する手段と、
前記プロキシサーバによって、リソース解放レスポンスで、前記ＰＤＳＮに、前記リソースの取り扱いのリクエストの受け取りの承認を行う手段と、
前記ＰＤＳＮによって、前記ホームエージェントからからのＰＤＳＮセションに割り当てられたリソースを解放する手段と、
登録レスポンスメッセージによって、前記リソースの取り扱いを伝える登録リクエストメッセージにレスポンスする手段
とを備えることを特徴とするセションリソース管理システム。
【手続補正２】
【補正対象書類名】明細書
【補正対象項目名】０００５
【補正方法】変更
【補正の内容】
【０００５】
移動ノードは、「ホーム」ネットワークと、その他の（「外部」）ネットワークとで移動する。移動ノードが設置した場所のどこででも、他のユーザ及びエンティティは、情報を移動ノードに送信しなければならず、更に、移動ノードはこれら他のユーザ及びエンティティに情報の送信できるようにしなければならない。
移動ノードの設置位置を決定する（及び情報を送信する）ために、移動ノードは、ホームネットワークにおいて不変のアドレス（「ホームアドレス」）が与えられる。ホームネットワークから一旦離れると、その移動ノードに関連づけられた現在のアドレス（「気付アドレス」）は、外部ネットワークに接続された移動ノードの現在位置を反映する。例えば、移動ノードが他のユーザやエンティティ送受信するＩＰダイアグラムなど、全ての情報の情報源（source）アドレスとして、移動ノードはそのホームアドレスを利用する。
【手続補正３】
【補正対象書類名】明細書
【補正対象項目名】００２９
【補正方法】変更
【補正の内容】
【００２９】
第１のＰＤＳＮ１０６は、例えばＣＨＡＰ（Challenge Handshake Authentication Protocol）接続リクエストメッセージなどの、接続リクエストメッセージをプロキシサーバ１０８に送信する。プロキシサーバ１０８は、そのドメインアドレスに基づいて、第１のＨＡＡＡサーバ１１６又は第２のＨＡＡＡサーバ１１８を決定する。例えば、本明細書中の他の箇所に記載したように、プロキシサーバは、テーブルを利用して、このドメインのアドレスに関するＨＡＡＡサーバのアドレスを検索する。プロキシサーバ１０８は、接続リクエストメッセージを第１のＨＡＡＡサーバ１１６に送信する。
【手続補正４】
【補正対象書類名】明細書
【補正対象項目名】００７２
【補正方法】変更
【補正の内容】
【００７２】
接続許可メッセージの場合は、ステップ５０８において、プロキシサーバは、移動ノードのホームアドレスを決定する。アドレスを決定するために、プロキシサーバは、接続許可メッセージを調査する。例えば、接続許可メッセージが、移動ノードのホームアドレスを決定するために使う方法を示すフィールドが含まれているとする。例えば、ＩＰアドレスのフィールドが存在し、ＨＡＡＡサーバに割り当てられたＩＰアドレスが含まれているとすると、プロキシサーバは、求められたアドレスを利用する。他の例では、このフィールドが存在しない、或いはマジックＩＰアドレス値（例えば255.255.255.254）であるとする。これは、プロキシサーバにプールの中からアドレスを検索する指示である。
プロキシサーバは、そのテーブルを調べて、プールを見つけ、そのプールからアドレスを検索する。プロキシサーバは、又、移動ノードのホームエージェントアドレスを割り当てる。ホームエージェントアドレスは、ドメイン名（ABC.com）から決定される。接続許可メッセージのNext-Hopゲートウェイ項目を参照して、ホームエージェントアドレスは、送信される。勿論、その他の方法が指示されており、その他の方法でアドレスを決定することも可能である。ステップ５１０において、アクセス許可メッセージ及びアドレスをＰＤＳＮに転送する。ここでプロキシサーバの実行は終了する。